(57)【要約】【課題】光軸上にピークを持つひと山型の一般的な光特性を備えた発光ダイオードを１個使用して、規定の配光特性（光軸と直交する水平方向を明るく照らし、上方を薄っすらと照らす配光特性）を実現できる標識灯を提供する。【解決手段】光源１３がその光軸Ａ上に放射した光を透過させる透過部１５ａと、光源１３が光軸Ａの周辺に放射した光を光軸と直交する外方へ反射させる反射部１５ｂと、透過部１５ａを透過した光を、光軸Ａを中心とする所定角度範囲に拡散するように反射させる反射部材とを設ける。反射部材は、透過部１５ａを透過した光の光路上に配置された外部より密度の高い透明体１６ａであって、光源１３と反対側の端面に光軸Ａ上で先端を光源１３に向けた砲弾型の窪み１６ｂを有し、この窪み部分１６ｂと外部との境界面で光源１３からの光を全反射させる。【選択図】図１
2006252841.tif 000002
【特許請求の範囲】
【請求項１】
光源と、
前記光源がその光軸上に放射した光を透過させる透過部と、前記光源が前記光軸の周辺に放射した光を前記光軸と直交する外方へ反射させる反射部とを備えた光学部材と、
前記透過部を透過した光を、光軸を中心とする所定角度範囲に拡散するように反射させる反射部材と
を有する
ことを特徴とする標識灯。
【請求項２】
前記光学部材は、前記光軸上で先端を前記光源に対向させた円錐の外側斜面形状を成す反射面の前記先端に前記透過部を設けたものであり、
前記反射部材は、前記透過部を透過した光の光路上に配置された外部より密度の高い透明体であって、前記光源と反対側の端面に前記光軸上で先端を前記光源に向けた砲弾型の窪みを有し、この窪み部分と外部との境界面で前記光源からの光を全反射させるものである
ことを特徴とする請求項１に記載の標識灯。
【請求項３】
前記窪み部分の先端を前記光源からの光が透過する形状にした
ことを特徴とする請求項２に記載の標識灯。
【請求項４】
前記光学部材は、前記光軸上で先端を前記光源に対向させた円錐の外側斜面形状を成す反射面の前記先端に光の透過部を設けたものであり、
前記反射部材は、前記透過部を透過した光の光路上に前記光源と対向させて配置した凸面鏡と、この凸面鏡と前記光学部材との間に配置され、前記光軸上の光を透過させると共に前記凸面鏡からの反射光を前記所定角度範囲に拡散させるように反射する第２反射鏡とを有するものである
ことを特徴とする請求項１に記載の標識灯。
【請求項５】
前記光学部材の周囲に、前記光源からの光を前記光軸側へ屈折させるプリズムをさらに配置した
ことを特徴とする請求項１、２、３または４に記載の標識灯。
【請求項６】
前記光源は、その光軸から放射角度が離れるに従って光量が減衰する光特性を有する１個の発光ダイオードである
ことを特徴とする請求項１、２、３、４または５に記載の標識灯。
【請求項７】
前記光学部材および前記反射部材を、前記光軸周りの一部の方向にのみ設けた
ことを特徴とする請求項１、２、３、４、５または６に記載の標識灯。
【発明の詳細な説明】
【技術分野】
【０００１】
本発明は、空港の誘導路などで使用される標識灯に係わり、特に簡易な構造で規定の配光性能を得るための技術に関する。
【背景技術】
【０００２】
空港の誘導路や道路などに設置される地上型の標識灯には、路幅や路肩の位置を知らせるために標識灯周囲の路面を明るく照らし出すと共に、真上や斜め上などその他の方向にもある程度の光を照射するような配光特性が要求されるものがある。たとえば、図６は、空港の誘導路の両脇やエプロンの縁に沿って設置される誘導路灯に対する規定の配光特性であり、鉛直角が０度（水平）から６度の範囲では、６度から９０度の範囲に比べて１０倍の光度が要求される。
【０００３】
従来は光源にハロゲン電球を使用しており、これを取り囲むようにフレネルレンズを配置することで上記の配光特性を実現していた。しかし、ハロゲン電球は定格寿命が１０００時間程度で交換作業が度々発生すると共に消費電力が大きいので、発光ダイオードを光源として使用する標識灯が提案されている。
【０００４】
たとえば、円内を埋めるように複数の発光ダイオードを配置して円形の面光源を形成し、これに対向するように、中央に開口を備えた漏斗型の反射鏡を配置した標識灯がある（特許文献１参照）。この標識灯は、上方への配光を中央の開口に臨む少数の発光ダイオードで賄い、残る多数の発光ダイオードの放射光を反射鏡で水平方向に反射させることで、図６に示すような配光特性を得ている。
【０００５】
複数の発光ダイオードを使用するものでは、灯火の小型化が困難になるなどの理由から、光軸を取り巻く周辺領域の光度が光軸上よりも高い特殊な光特性を備えた１個の発光ダイオードを光源に使用し、これに対向させて、中央の小さな開口に拡散レンズを備えた漏斗型の反射鏡を配置した標識灯が提案されている（特許文献２参照）。この標識灯は、上方への配光を光度の低い光軸上の光で賄い、光軸周辺の光度の高い光を反射鏡で水平方向に反射させることで、図６に示すような配光特性を得ている。
【０００６】
【特許文献１】特開２０００−１７３３０４号公報
【特許文献２】特開２００４−３００７９７号公報
【発明の開示】
【発明が解決しようとする課題】
【０００７】
一般的な表面発光型の発光ダイオードは、光軸上にピークを持つひと山型の光特性を有しているが、上記の標識灯では、光軸を取り巻く周辺領域の光度が光軸上よりも高い光特性を備えた特殊な発光ダイオードを必要とする。このため、光源となる発光ダイオードの安定供給に懸念があると共に、部品コストも高騰してしまうという問題があった。
【０００８】
仮に上記の構造のままで、発光ダイオードを、光軸上にピークを持つひと山型の光特性を備えた一般的なものに取り替えると、光軸上の光度が高くなる分だけ反射鏡中央の開口を小さくしなければならず、拡散レンズでは光を充分に拡散できなくなってしまう。
【０００９】
本発明は、上記の問題を解決しようとするものであり、一般的な光特性の光源を１個使用して規定の配光特性を実現できる標識灯を提供することを目的としている。
【課題を解決するための手段】
【００１０】
上記の目的は以下に示す各発明により達成される。
【００１１】
請求項１に記載の発明に係わる標識灯は、光源（１３）と、
前記光源（１３）がその光軸上に放射した光を透過させる透過部（１５ａ）と、前記光源（１３）が前記光軸の周辺に放射した光を前記光軸と直交する外方へ反射させる反射部（１５ｂ）とを備えた光学部材（１５ａ、１５ｂ）と、
前記透過部（１５ａ）を透過した光を、光軸を中心とする所定角度範囲に拡散するように反射させる反射部材（１６ａ、１６ｂ、３１ａ、３１ｂ）と
を有する
ことを特徴とするものである。
【００１２】
上記発明によれば、光源（１３）が光軸の周辺に放射した光は光学部材（１５ｂ）で反射されて光軸と直交する方向に照射される。一方、光学部材（１５ａ、１５ｂ）に設けた透過部（１５ａ）を透過した光は、反射部材（１６ａ、１６ｂ、３１ａ、３１ｂ）に反射されることにより光軸を中心とする所定角度範囲に拡散する。
【００１３】
すなわち、光の拡散に反射を利用すれば、拡散レンズを使用する場合に比べて光の進路を容易に大きく変化させることができる。したがって、光軸上にピークを持つひと山型の光特性を備えた一般的な発光ダイオードを使用するために光学部材（１５ａ、１５ｂ）の透過部（１５ａ）を小さくした場合でも、光学部材（１５ａ、１５ｂ）の透過部（１５ａ）を透過した光軸上の光を反射部材（１６ａ、１６ｂ、３１ａ、３１ｂ）で充分に拡散させることができ、図６に示すような配光特性が実現される。
【００１４】
請求項２に記載の発明に係わる標識灯では、前記光学部材（１５ａ、１５ｂ）は、前記光軸上で先端を前記光源（１３）に対向させた円錐の外側斜面形状を成す反射面（１５ｂ）の前記先端に前記透過部（１５ａ）を設けたものであり、
前記反射部材（１６ａ、１６ｂ）は、前記透過部（１５ａ）を透過した光の光路上に配置された外部より密度の高い透明体（１６ａ）であって、前記光源（１３）と反対側の端面に前記光軸上で先端を前記光源（１３）に向けた砲弾型の窪み（１６）を有し、この窪み（１６）部分と外部との境界面で前記光源（１３）からの光を全反射させるように構成されている。
【００１５】
すなわち、透過部（１５ａ）から透明体（１６ａ）に入射した光が、さらに透明体（１６ａ）の内部を通って窪み（１６）部分と外部との境界面に入射するときは、密から疎への入射になるので、その入射角が臨界角を超えるように窪み（１６）の形状を設定すれば、全反射によって光軸を中心とする所定角度範囲に光を拡散させることができる。
【００１６】
請求項３に記載の発明に係わる標識灯では、前記窪み（１６）部分の先端を前記光源（１３）からの光が透過する形状にしてある。
【００１７】
すなわち、光軸のほぼ真上の光は全反射されずに透明体（１６ａ）から外部に抜け出て、光源（１３）のほぼ正面を照射するようになる。
【００１８】
請求項４に記載の発明に係わる標識灯では、前記光学部材（１５ａ、１５ｂ）は、前記光軸上で先端を前記光源（１３）に対向させた円錐の外側斜面形状を成す反射面（１５ｂ）の前記先端に光の透過部（１５ａ）を設けたものであり、
前記反射部材（３１ａ、３１ｂ）は、前記透過部（１５ａ）を透過した光の光路上に前記光源（１３）と対向させて配置した凸面鏡（３１ａ）と、この凸面鏡（３１ａ）と前記光学部材（１５ａ、１５ｂ）との間に配置され、前記光軸上の光を透過させると共に前記凸面鏡（３１ａ）からの反射光を前記所定角度範囲に拡散させるように反射する第２反射鏡（３１ｂ）とを有するように構成される。
【００１９】
上記の発明では、透過部（１５ａ）を透過した光を凸面鏡（３１ａ）で光源（１３）側の全方向へ拡散するように反射し、この反射光を第２反射鏡（３１ｂ）で再度反射することで、光軸から所定角度範囲に光を拡散させている。
【００２０】
請求項５に記載の発明に係わる標識灯では、前記光学部材（１５ａ、１５ｂ）の周囲に、前記光源（１３）からの光を前記光軸側へ屈折させるプリズム（１７）をさらに配置してある。
【００２１】
請求項６に記載の発明に係わる標識灯では、前記光源（１３）は、その光軸から放射角度が離れるに従って光量が減衰する光特性を有する１個の発光ダイオードで構成される。
【００２２】
請求項７に記載の発明に係わる標識灯では、前記光学部材（１５ａ、１５ｂ）および前記反射部材（１６ａ、１６ｂ、３１ａ、３１ｂ）を、前記光軸周りの一部の方向にのみ設けてある。
【００２３】
たとえば、一方向や二方向にのみ光を照射するなど、全方向タイプと異なる標識灯に適用される。
【発明の効果】
【００２４】
本発明に係わる標識灯によれば、光軸上にピークを持つひと山型の光特性を有する一般的な発光ダイオードを光源に使用して、光軸から所定角度範囲では弱く光り、光軸と直交する方向には強く光る配光特性を備えた標識灯を実現することができる。
【発明を実施するための最良の形態】
【００２５】
以下、図面に基づき本発明の実施の形態を説明する。
【００２６】
図１は、本発明の第１の実施の形態に係わる標識灯１０の中央を縦方向に切断した端面を示している。標識灯１０は、空港の誘導路の両脇に設置され、その路肩位置や幅などを航空機の操縦者に表示する機能を果たす全方向タイプの標識灯である。標識灯１０は、地上に設置される本体ケース１１と、本体ケース１１に装着された取付台１２と、取付台１２の中央に取り付けられた発光ダイオード１３と、発光ダイオード１３の前方および周囲を取り囲む反射鏡ユニット１４と、取付台１２と反射鏡ユニット１４とを収容するようにして本体ケース１１の上面に取り付けられたガラスグローブ１５とから構成される。
【００２７】
詳細には、本体ケース１１は、上部が広がった円筒形を成し、アルミニウム合金などで形成されている。本体ケース１１に被せるガラスグローブ１５は、透明で中空のほぼ半球形状を成している。発光ダイオード１３は、表面発光型の青色発光ダイオードである。また、大電流を流せるパワー型である。発光ダイオード１３は、図２に示すように、光軸上にピークを有するひと山型の光特性を備えている。ここでは、半値が６０度となるものを使用している。
【００２８】
反射鏡ユニット１４は、天井部を有する短い中空円筒形状を成している。反射鏡ユニット１４は、全体が透明な樹脂で一体成形されており、たとえば、型成形により製造される。
【００２９】
反射鏡ユニット１４の天井部の内面には、発光ダイオード１３がその光軸Ａ上に射出した光を透過させる透過部１５ａと、発光ダイオード１３が光軸Ａの周辺に放射した光を光軸Ａと直交する外方へ反射させる反射部１５ｂとが光学部材として形成してある。反射部１５ｂは、光軸Ａ上で先端を発光ダイオード１３に対向させたほぼ円錐の外側斜面形状を成す反射面であり、反射鏡ユニット１４の内面にアルミ蒸着を施して形成される。透過部１５ａは、アルミ蒸着を施す際に該当部分をマスキングし、その部分がアルミ蒸着されないことで形成される。ここでは、光軸Ａを中心にたとえば、±３度の範囲に放射された光が透過部１５ａに入射し、この部分を除いて光軸Ａを中心に±６０度の範囲に放射された光が反射部１５ｂで反射されるように設定されている。
【００３０】
透明樹脂で形成された反射鏡ユニット１４の天井部はさらに、透過部１５ａを透過した光の光路上に配置された外部より密度の高い透明体１６ａと、この透明体１６ａの外側（発光ダイオード１３と反対側）の端面に形成された窪み部１６ｂとを有する反射部材として機能する。窪み部１６ｂは、光軸Ａ上で先端を発光ダイオード１３に向けた砲弾型に形成されている。窪み部１６ｂの形状は、窪み部１６ｂにおける透明体１６ａと外部との境界面で発光ダイオード１３からの光が全反射して、光軸Ａを中心とする広範囲に拡散するように設定してある。なお、窪み部１６ｂの先端は発光ダイオード１３からの光が全反射せずに透過する形状にしてある。具体的には、先端を緩やかな凸曲面あるいは光軸Ａと垂直な平面にしてある。
【００３１】
さらに反射鏡ユニット１４のうち反射部１５ｂの周囲部分は、発光ダイオード１３からの光を光軸Ａ側へ屈折させるプリズム部１７を成すように構成されている。
【００３２】
次に、反射鏡ユニット１４の作用を説明する。
【００３３】
図３に示すように、発光ダイオード１３が光軸Ａ上およびその近傍に放射した光Ｐ１は、透過部１５ａから透明体１６ａにほぼ直進で入射して透明体１６ａの内部を通り、窪み部１６ｂにおける透明体１６ａと外部との境界面で全反射される。この境界面への入射は密度が密から疎への入射になるので、窪み部１６ｂの形状を、発光ダイオード１３からの光が臨界角を超えて入射する形状にしておけば全反射が生じる。
【００３４】
窪み部１６ｂと外部との境界面で全反射された光Ｐ１はさらに窪み部１６ｂの周囲の透明体１６ａの上端面に臨界角未満の角度で入射し、光軸Ａから離れる方向に屈折して外部に進行する。これにより、光Ｐ１は光軸Ａを中心とする広い角度範囲に拡散するように放射される。なお、窪み部１６ｂの先端に入射した光は全反射することなく直進して外部に進行し、標識灯１０の真上を照明する。また、透過部１５ａを透過したうちの窪み部１６ｂを外れた光Ｐ０は、反射鏡ユニット１４を抜けて外部に放射される。
【００３５】
図２の光特性に示すように、発光ダイオード１３がその光軸上および光軸近傍に放射する光は、最も光度が高いので、光軸上に位置する透過部１５ａの開口を小さくすることで、上方へ放射される光の量を制限している。そして、小さい透過部１５ａを透過した光軸近傍の光を窪み部１６ｂと外部との境界面で全反射させることで広い範囲に拡散させている。
【００３６】
発光ダイオード１３が透過部１５ａの周囲に放射した光Ｐ２は、反射部１５ｂで反射された後、光軸Ａと直交する外方へ進行する。詳細には、反射部１５ｂはわずかに湾曲させてあり、反射部１５ｂで反射された光が光軸Ａと直交する方向から光軸側へ６度の範囲に拡散して照射されるように設定してある。
【００３７】
図２の光特性に示すように、発光ダイオード１３がその光軸を中心として±６０度程度の範囲に放射する光は光度が高い。また、透過部１５ａを小さくしてあるので、この光度の高い角度範囲に放射された光の大部分が反射部１５ｂで反射される。その結果、標識灯１０は、光軸Ａと直交する方向を全周にわたって明るく照明する。
【００３８】
反射部１５ｂよりもさらに外側に発光ダイオード１３が放射した光Ｐ３は、反射部１５ｂの周囲に配置されたプリズム部１７に入射し、光軸Ａ側へ屈折して外部へ出射される。
【００３９】
プリズム部１７に到達する範囲よりもさらに外側に発光ダイオード１３が放射した光Ｐ４は、反射鏡ユニット１４の円筒周壁部分１４ａを入射時と平行な角度で透過して外部に放出される。
【００４０】
図２の光特性で示したように、発光ダイオード１３が放射する光は光軸Ａから放射角度が離れるほど光度が低下するので、プリズム部１７を透過した光Ｐ３や反射鏡ユニット１４の円筒周壁部分１４ａに発光ダイオード１３から直接入射して透過した光Ｐ４は、反射部１５ｂで反射された光Ｐ２に比べて光度が低く、標識灯１０は斜め上方を弱く照らすようになる。
【００４１】
以上のように反射鏡ユニット１４を通すことで、標識灯１０は、発光ダイオード１３のもつ一般的な光特性をそのまま活かして、図６に示すような配光特性を実現している。
【００４２】
なお、プリズム部１７は、発光ダイオード１３から放射されて反射部１５ｂで反射した光Ｐ２の光路上を避けるように配置してある。これにより、反射部１５ｂで反射した光がプリズム部１７に遮られたり、プリズム部１７で屈折したりすることがないので、光軸Ａと直交する外方へ効率よく光Ｐ２が照射される。
【００４３】
この他、青色の発光ダイオード１３を使用し、ガラスグローブ１５を透明にしたので、ガラスグローブ１５を青色に着色した有色透明にする場合に比べてガラスグローブ１５における光の透過率が高くなり、標識灯１０から効率よく光が放射される。
【００４４】
図４は、第２の実施の形態に係わる標識灯３０の中央を縦方向に切断した端面を示している。標識灯３０は、図１に示す標識灯１０の全反射を利用した反射鏡ユニット１４に代えて、鏡面反射を利用した反射鏡ユニット３１を備えている。他の部分は図１の標識灯１０と同一構成であり、図１と同一の符号を付してそれらの説明を省略する。
【００４５】
反射鏡ユニット３１は、天井部を有する短い中空円筒形状を成し、全体が透明な樹脂で一体成形されている。反射鏡ユニット３１の天井部の内面には、図１の反射鏡ユニット１４と同一構造の透過部１５ａと反射部１５ｂとが光学部材として形成されている。
【００４６】
透明樹脂で形成された反射鏡ユニット３１の天井部にはさらに、透過部１５ａを透過した光の光路上に発光ダイオード１３と対向させて配置した凸面鏡３１ａと、この凸面鏡３１ａと反射部１５ｂ（光学部材）との間に配置された第２反射鏡３１ｂとが反射部材として形成されている。
【００４７】
凸面鏡３１ａは、反射鏡ユニット３１の天井部に外側から窪みを設け、ここにアルミ蒸着を施して形成される。第２反射鏡３１ｂは、反射部１５ｂの裏面を反射面に利用したものである。第２反射鏡３１ｂは、光軸Ａ上の光を透過させると共に凸面鏡３１ａからの反射光を、光軸Ａを中心とする所定角度範囲に拡散させるように反射する機能を果たす。なお、反射鏡ユニット３１は、樹脂成形で形成した後、２回のアルミ蒸着工程を経て製造される。
【００４８】
次に、反射鏡ユニット３１の作用を説明する。
【００４９】
図５に示すように、発光ダイオード１３が光軸Ａ上および光軸近傍に放射した光Ｌ１は、透過部１５ａから反射鏡ユニット３１にほぼ直進で入射して反射鏡ユニット３１の内部を通り、凸面鏡３１ａで反射される。凸面鏡３１ａに到達した光は、凸面鏡３１ａへの入射角に応じてさまざまな方向に反射される。凸面鏡３１ａの周縁近傍で反射した光Ｌ１ａは、反射鏡ユニット３１を抜けて外部に照射される。凸面鏡３１ａの他の部分で反射した光Ｌ１ｂは、第２反射鏡３１ｂに向かって進み、第２反射鏡３１ｂで反射され、光軸Ａを中心とする広い角度範囲に拡散するように放射される。
【００５０】
発光ダイオード１３が透過部１５ａの周囲に放射した光Ｌ２は、反射部１５ｂで反射された後、光軸Ａと直交する外方へ進行する。詳細には、図１の反射鏡ユニット１４と同様に、光軸Ａと直交する方向から光軸側へ６度の範囲に照射される。
【００５１】
反射部１５ｂよりも外側に発光ダイオード１３が放射した光Ｌ３は、反射鏡ユニット３１の円筒周壁部分３１ｃを入射時と平行な角度で透過して外部に放出される。
【００５２】
図２の光特性に示すように、発光ダイオード１３がその光軸上および光軸近傍に放射する光は、最も光度が高いので、光軸上に位置する透過部１５ａの開口を小さくすることで、上方へ放射される光の量を制限している。そして、小さい透過部１５ａを透過した光軸近傍の光を凸面鏡３１ａと第２反射鏡３１ｂとを用いて反射させて広い範囲に拡散させている。これにより、標識灯３０は、光軸Ａを中心とする広い角度範囲を薄く照明する。
【００５３】
さらに反射鏡ユニット３１の円筒周壁部分３１ｃに発光ダイオード１３から直接入射して透過した光Ｌ３により、光軸Ａから大きく離れた斜め方向が薄く照明される。
【００５４】
また、発光ダイオード１３がその光軸を中心に±６０度程度の範囲に放射する光は光度が高く、しかも光軸Ａ上の透過部１５ａを小さくしてあるので、光度の高い角度範囲に放射された光の大部分は反射部１５ｂで反射される。これにより、標識灯３０は、光軸Ａと直交する方向を全周にわたって明るく照明する。
【００５５】
このように、反射鏡ユニット３１を設けることで、標識灯３０は、発光ダイオード１３のもつ一般的な光特性をそのまま活かして、図６に示すような配光特性を実現している。
【００５６】
以上、本発明の各実施の形態を図面に基づいて説明してきたが、具体的な構成はこれらの実施の形態に示したものに限られるものではなく、本発明の要旨を逸脱しない範囲における変更や追加があっても本発明に含まれる。
【００５７】
たとえば、光源として１個の発光ダイオード１３を使用したが、図２と同じような光特性を有するものであれば、他の種類の光源であってもかまわない。また、反射鏡ユニット１４、３１を型成形で製造するようにしたが、削り出しなど他の製造方法でもかまわない。反射鏡ユニット１４、３１は樹脂に限らず、ガラスなどの透明な部材で構成されればよい。
【００５８】
反射鏡ユニット１４、３１においては、円筒周壁部分１４ａ、３１ｃは天井部を支持するために存在しており、天井部に相当する部分を、たとえば、ガラスグローブ１５側に取り付ければ、円筒周壁部分１４ａ、３１ｃは無くてもよい。
【００５９】
また、透過部１５ａおよび反射部１５ｂからなる光学部材と、透明体１６ａと窪み部１６ｂもしくは凸面鏡３１ａと第２反射鏡３１ｂからなる反射部材とを一体に構成したが、これらを別部品で構成してもよい。
【００６０】
また、反射鏡ユニット１４の窪み部１６ｂや反射鏡ユニット３１の凸面鏡３１ａ部分を成す窪みを、樹脂で埋めたり蓋を設けたりして、反射鏡ユニット１４、３１の上面を平らにすれば、窪みに雨水が溜まることがなくなり、ガラスグローブ１５を除去して、反射鏡ユニット１４、３１を外カバーにすることができる。
【００６１】
実施の形態では、反射部１５ｂなどの反射面を連続曲面で形成したが、平面を段差的に組み合わせるように構成してもよい。
【００６２】
本発明に係わる標識灯は、空港の誘導路灯などの航空灯としての使用に限らず、ヘリポート灯、航空障害灯、船舶灯火、埋込鋲や視線誘導などの交通標識灯、景観照明灯などに適用できる。また、全方向タイプに限らず１方向タイプ、２方向タイプなどにも適用できる。この場合、光学部材や反射部材を、光軸周囲のうち照射の必要な方向にのみ設ければよい。
【図面の簡単な説明】
【００６３】
【図１】本発明の第１の実施の形態に係わる標識灯を示す中央縦端面図である。
【図２】本発明の各実施の形態に係わる標識灯で使用する発光ダイオードの光特性を示す説明図である。
【図３】本発明の各実施の形態に係わる標識灯の反射鏡ユニットに入射する発光ダイオードからの光の光路を示す説明図である。
【図４】本発明の第２の実施の形態に係わる標識灯を示す中央縦端面図である。
【図５】本発明の第２の実施の形態に係わる標識灯の反射鏡ユニットに入射する発光ダイオードからの光の光路を示す説明図である。
【図６】誘導路灯に対する規定の配光特性を示す説明図である。
【符号の説明】
【００６４】
Ａ…発光ダイオードの光軸
１０…標識灯
１１…本体ケース
１２…取付台
１３…発光ダイオード
１４…反射鏡ユニット
１４ａ…円筒周壁部分
１５…ガラスグローブ
１５ａ…透過部
１５ｂ…反射部
１６ａ…透明体
１６ｂ…窪み部
１７…プリズム部
３０…標識灯
３１…反射鏡ユニット
３１ｃ…円筒周壁部分
３１ａ…凸面鏡
３１ｂ…第２反射鏡
【図１】
2006252841.tif 000003
【図２】
2006252841.tif 000004
【図３】
2006252841.tif 000005
【図４】
2006252841.tif 000006
【図５】
2006252841.tif 000007
【図６】
2006252841.tif 000008